(57)【要約】      （修正有）【課題】購入者の所定の購入予算を有効に執行する逆オークション処理装置を提供する。【解決手段】購入者端末及び入札者端末と通信ネットワークを介して接続される逆オークション処理装置であって、購入者端末から送信される、購入商品群の予算金額、購入商品群を構成する各購入商品、購入商品群の優先順位、各購入商品の最小購入数量、を含む落札条件を記憶する第１記憶部と、落札条件を閲覧可能である入札者端末から送信される、購入商品群の販売金額及び販売数量を含む入札情報を記憶する第２記憶部と、第１記憶部の落札条件と第２記憶部の入札情報とを対比し、購入商品群の販売金額が予算金額であり、且つ、購入商品群の優先順位の高い方から販売数量が最小購入数量以上となっている入札情報が存在するか否かを判定する判定部と、該当する入札情報が存在すると判定された場合、入札情報を送信した入札者端末に対して落札を通知する通知部と、を備えてなる。【選択図】図１
2008003772.tif 000002
【特許請求の範囲】
【請求項１】
購入者端末及び入札者端末と通信ネットワークを介して接続される逆オークション処理装置であって、
前記購入者端末から送信される、購入商品群の予算金額、前記購入商品群を構成する各購入商品、前記購入商品群の優先順位、前記各購入商品の最小購入数量、を含む落札条件を記憶する第１記憶部と、
前記落札条件を閲覧可能である前記入札者端末から送信される、前記購入商品群の販売金額及び販売数量を含む入札情報を記憶する第２記憶部と、
前記第１記憶部の前記落札条件と前記第２記憶部の前記入札情報とを対比し、前記購入商品群の前記販売金額が前記予算金額であり、且つ、前記購入商品群の優先順位の高い方から前記販売数量が前記最小購入数量以上となっている前記入札情報が存在するか否かを判定する判定部と、
該当する前記入札情報が存在すると判定された場合、当該入札情報を送信した前記入札者端末に対して落札を通知する通知部と、
を備えたことを特徴とする逆オークション処理装置。
【請求項２】
前記優先順位の付された前記購入商品ごとの前記入札情報は、前記入札者端末から一括して送信される、ことを特徴とする請求項１に記載の逆オークション処理装置。
【請求項３】
前記入札情報は、前記入札者端末から、前記購入商品群の優先順位に従って個別に送信され、
前記判定部は、前記落札条件と前記入札情報とを対比し、前記購入商品群の優先順位の高い方から、前記販売金額が前記予算金額であり、且つ、前記販売数量が前記最小購入数量以上となっている前記入札情報が存在するか否かを判定する、
ことを特徴とする請求項１に記載の逆オークション処理装置。
【請求項４】
前記入札情報に基づいて生成される、前記入札者端末を通じて閲覧可能な入札状況情報を、前記入札者端末に送信する送信部、を更に備えたことを特徴とする請求項１乃至３の何れかに記載の逆オークション処理装置。
【請求項５】
購入者端末及び入札者端末と通信ネットワークを介して接続される逆オークション処理装置における逆オークション処理動作を制御するコンピュータに、
前記購入者端末から送信される、購入商品群の予算金額、前記購入商品群を構成する各購入商品、前記購入商品群の優先順位、前記各購入商品の最小購入数量、を含む落札条件を第１記憶部に記憶させる第１記憶手順と、
前記落札条件を閲覧可能である前記入札者端末から送信される、前記購入商品群の販売金額及び販売数量を含む入札情報を第２記憶部に記憶させる第２記憶手順と、
前記第１記憶部の前記落札条件と前記第２記憶部の前記入札情報とを対比し、前記購入商品群の前記販売金額が前記予算金額であり、且つ、前記購入商品群の優先順位の高い方から前記販売数量が前記最小購入数量以上となっている前記入札情報が存在するか否かを判定する判定手順と、
前記判定手順において該当する前記入札情報が存在すると判定された場合、当該入札情報を送信した前記入札者端末に対して落札を通知する通知手順と、
を実行させるためのプログラム。
【発明の詳細な説明】
【技術分野】
【０００１】
本発明は、購入者端末及び入札者端末と通信ネットワークを介して接続される逆オークション処理装置及びプログラムに関する。
【背景技術】
【０００２】
購入者端末及び入札者端末が通信ネットワークを介して接続される逆オークション処理装置が知られている（例えば、特許文献１参照。）。逆オークションでは、購入者が入札者に発注内容の情報を公開すると、この入札者が入札者端末を通じて価格の情報を逆オークション処理装置へ送信する。一方、このようにして逆オークション処理装置に集まる価格等の入札状況は、例えば入札者端末を通じて、逆オークションに参加する全ての入札者に公開されるようになっている。予め定められた入札期間内で、入札者どうしは、公開された価格を参照しつつ、この価格を競り下げる。逆オークション処理装置は、最終的に最も低い価格を提示した入札者を落札者とするようになっている。具体的には、入札期間内に逆オークション処理装置に集まった価格の情報のうち、最も低い価格の情報を送信した入札者端末を使用する入札者が落札者ということになる。この入札者端末に対し、逆オークション処理装置は、落札した旨を通知するようになっている。
【０００３】
具体的な一例を挙げれば、購入者が所有するパーソナルコンピュータと、入札者が所有するパーソナルコンピュータと、逆オークション処理装置たるＷｅｂサーバとがインターネットを通じて接続されていれば、各情報処理装置が特許文献１に開示される所定のプログラム、所定のデータベース、所定の表示手段等を装備することにより、前述した機能を実行することができる。
【特許文献１】特開２００３−３３１１５８号公報
【発明の開示】
【発明が解決しようとする課題】
【０００４】
ところで、購入者が例えば単年度予算の下で商品を購入する場合、予め定められた予算内でできるだけ多くの商品を購入したいという要望がある。例えば官公庁や大企業等は、次年度に繰り越せない予算を当該年度中に執行する場合がある。このような要望に応えるためには、一定の購入予算の下で商品の数量を競り上げる入札方式をとればよい。これは、一定の購入予算を全て使うことを前提として商品の単価を競り下げる入札方式と等価である。
【０００５】
ここで、前述した逆オークション処理装置を用いて購入者が所望する商品の数量を競り上げる際、逆オークションの開始数量（例えば、購入者により設定される最低必要数量）を大幅に超えて、むしろ不必要と言える数量で落札された場合、購入者はもはや自身の予算を有効に執行したとは言えなくなる。一方、もし購入者が購入予算とともに必要数量を設定した場合、競り合う数字が存在しなくなるため、逆オークションを開催する意味がなくなる。
【０００６】
本発明はかかる課題に鑑みてなされたものであり、その目的とするところは、購入者の所定の購入予算を有効に執行することが可能な逆オークション処理装置を提供することにある。
【課題を解決するための手段】
【０００７】
前記課題を解決するための発明は、購入者端末及び入札者端末と通信ネットワークを介して接続される逆オークション処理装置であって、前記購入者端末から送信される、購入商品群の予算金額、前記購入商品群を構成する各購入商品、前記購入商品群の優先順位、前記各購入商品の最小購入数量、を含む落札条件を記憶する第１記憶部と、前記落札条件を閲覧可能である前記入札者端末から送信される、前記購入商品群の販売金額及び販売数量を含む入札情報を記憶する第２記憶部と、前記第１記憶部の前記落札条件と前記第２記憶部の前記入札情報とを対比し、前記購入商品群の前記販売金額が前記予算金額であり、且つ、前記購入商品群の優先順位の高い方から前記販売数量が前記最小購入数量以上となっている前記入札情報が存在するか否かを判定する判定部と、該当する前記入札情報が存在すると判定された場合、当該入札情報を送信した前記入札者端末に対して落札を通知する通知部と、を備えてなる。
【０００８】
もし複数の入札者端末が複数の入札情報をそれぞれ送信する場合、判定部により、これら複数の入札情報から、購入商品群の販売金額が予算金額であり且つ優先順位の高い方から販売数量が最小購入数量以上となっている入札情報を検出できる。ここで、この最小購入数量を、例えば複数の入札情報に対応する複数の販売数量のうちの最大数量とすれば、前記検出された入札情報は、購入商品群の販売金額が予算金額であるとともに、優先順位の高い購入商品の方から最大の販売数量を提示する入札情報となる。一方、もし結果的に１つの入札者端末が１つの入札情報を送信して逆オークションを終了した場合、この入札情報は、購入商品群の販売金額が予算金額であり且つ各購入商品の販売数量が最小購入数量以上となっているか否かが判定部により判定され、この判定結果に基づいて落札の通知又は非通知が決まる。この場合、この最小購入数量は、例えば各購入商品に関する必要最低限の数量とすればよい。以上から、購入者端末を通じて例えば購入者が自身の所定の購入予算を有効に執行できると考える所定の落札条件を逆オークション処理装置に予め送信すれば、判定部により検出される入札情報は、この購入者の所定の購入予算を有効に執行することが可能なものとなる。つまり、購入者の所定の購入予算を有効に執行することが可能な逆オークション処理装置が提供されることになる。
【０００９】
また、かかる逆オークション処理装置において、前記優先順位の付された前記購入商品ごとの前記入札情報は、前記入札者端末から一括して送信される、ことが好ましい。  
この逆オークション処理装置によれば、例えば入札者は入札情報を一括して提示可能であるため、逆オークションが効率良く進行し得る。
【００１０】
また、かかる逆オークション処理装置において、前記入札情報は、前記入札者端末から、前記購入商品群の優先順位に従って個別に送信され、前記判定部は、前記落札条件と前記入札情報とを対比し、前記購入商品群の優先順位の高い方から、前記販売金額が前記予算金額であり、且つ、前記販売数量が前記最小購入数量以上となっている前記入札情報が存在するか否かを判定する、ことが好ましい。  
この逆オークション処理装置によれば、逆オークション中に、例えば、入札者端末からの入札情報に応じて落札条件を変更することが可能となるため、購入者の所定の購入予算をより有効に執行できる。
【００１１】
また、かかる逆オークション処理装置において、前記入札情報に基づいて生成される、前記入札者端末を通じて閲覧可能な入札状況情報を、前記入札者端末に送信する送信部、を更に備えたことが好ましい。  
この逆オークション処理装置によれば、入札情報状況の閲覧を通じて、販売数量のより多い入札情報が送信される可能性が高まる。
【００１２】
また、前記課題を解決するための発明は、購入者端末及び入札者端末と通信ネットワークを介して接続される逆オークション処理装置における逆オークション処理動作を制御するコンピュータに、前記購入者端末から送信される、購入商品群の予算金額、前記購入商品群を構成する各購入商品、前記購入商品群の優先順位、前記各購入商品の最小購入数量、を含む落札条件を第１記憶部に記憶させる第１記憶手順と、前記落札条件を閲覧可能である前記入札者端末から送信される、前記購入商品群の販売金額及び販売数量を含む入札情報を第２記憶部に記憶させる第２記憶手順と、前記第１記憶部の前記落札条件と前記第２記憶部の前記入札情報とを対比し、前記購入商品群の前記販売金額が前記予算金額であり、且つ、前記購入商品群の優先順位の高い方から前記販売数量が前記最小購入数量以上となっている前記入札情報が存在するか否かを判定する判定手順と、前記判定手順において該当する前記入札情報が存在すると判定された場合、当該入札情報を送信した前記入札者端末に対して落札を通知する通知手順と、を実行させるためのプログラムである。
【発明の効果】
【００１３】
購入者の所定の購入予算を有効に執行することが可能な逆オークション処理装置が提供される。
【発明を実施するための最良の形態】
【００１４】
＝＝＝逆オークション処理装置の構成＝＝＝
図１及び図２を参照しつつ、本実施の形態の逆オークションサーバ（逆オークション処理装置）１０の構成例について説明する。図１は、本実施の形態の購入者端末１、入札者端末２、及び逆オークションサーバ１０の構成例を示すブロック図である。図２（ａ）は、本実施の形態の入札条件データ１０１ａの構成例を示す図表であり、図２（ｂ）は、本実施の形態の入札データ１０２ａの構成例を示す図表である。
【００１５】
図１に例示されるように、本実施の形態の逆オークションサーバ１０は、例えばインターネット等の通信ネットワーク３を介して購入者端末１及び入札者端末２と接続されて逆オークションを実施するためのサーバである。この逆オークションサーバ１０は、例えば、電力会社が資材等の調達のために備える専用サーバである。この逆オークションサーバ１０を経由して、同電力会社内の各部署に設けられた購入者端末１から、関係業者の入札者端末２に対し、資材の発注等が行われる。或いは、この逆オークションサーバ１０は、例えば、オークション一般を司る会社が管理する汎用サーバであってもよい。この逆オークションサーバ１０を経由して、電力会社の購入者端末１から、資材等を取り扱う業者の入札者端末２に対し、資材の発注等が行われる。
【００１６】
本実施の形態の逆オークションサーバ１０は、具体的には、ＣＰＵ１０ａと、逆オークションにおける入札期間を計時するタイマ１０ｂとを備えた、例えばＷｅｂサーバ等の情報処理装置である。また、この逆オークションサーバ１０は、購入者が提示する入札条件に関する入札条件データ１０１ａを格納する入札条件データベース（第１記憶部）１０１と、入札者が提示する入札情報に関する入札データ１０２ａを格納する入札データベース（第２記憶部）１０２と、購入者及び入札者に入札状況等を公表するためのＷｅｂデータ１０３ａを格納するＷｅｂデータベース１０３とを備えている。
【００１７】
本実施の形態の購入者端末１は、逆オークションを通じて商品を購入しようとする購入者が使用する情報処理装置である。この購入者端末１は、入札条件データ１０１ａを送信したり、Ｗｅｂデータ１０３ａを受信して表示したりするための専用のＷｅｂブラウザを所定のメモリ（不図示）に記憶しているとともに、この表示のためのディスプレイ１ａを備えている。このＷｅｂブラウザは、例えば、逆オークションの主催者から購入者に予め配布されて、購入者が自身のパーソナルコンピュータ等に適宜インストールするものである。この配布のし方は、例えば、逆オークションサーバ１０が提供する所定のＷｅｂサイトを通じて購入者が自身のパーソナルコンピュータにダウンロードするものであってもよいし、逆オークションの主催者から所定の記録媒体を通じて購入者が受領するものであってもよい。この場合、購入者端末１は、この記録媒体の所定の読み取り手段を備えている必要がある。
【００１８】
本実施の形態の入札者端末２は、逆オークションを通じて商品を販売するべく入札しようとする入札者が使用する情報処理装置である。この入札者端末２は、入札データ１０２ａを構成する入札情報を送信したり、Ｗｅｂデータ１０３ａを受信して表示したりするための専用のＷｅｂブラウザを所定のメモリ（不図示）に記憶しているとともに、この表示のためのディスプレイ２ａを備えている。このＷｅｂブラウザは、例えば、逆オークションの主催者から入札者に予め配布されて、入札者が自身のパーソナルコンピュータに適宜インストールするものである。この配布のし方は、例えば、逆オークションサーバ１０が提供する所定のＷｅｂサイトを通じて入札者が自身のパーソナルコンピュータ等にダウンロードするものであってもよいし、逆オークションの主催者から所定の記録媒体を通じて入札者が受領するものであってもよい。この場合、入札者端末２は、この記録媒体の所定の読み取り手段を備えている必要がある。
【００１９】
尚、図１の例示では、購入者端末１及び逆オークションサーバ１０は別体の情報処理装置であるが、これに限定されるものではない。例えば、前述したように、逆オークションサーバ１０が購入者側の専用サーバである場合、これは購入者端末１と一体の情報処理装置であってもよい。
【００２０】
また、図１の例示では、購入者端末１は１台であるが、これに限定されるものではない。例えば、前述したように、逆オークションサーバ１０が汎用サーバである場合、複数の購入者端末１に対し、それぞれの用途に応じた異なる逆オークションを実行可能に構成されていてもよい。
【００２１】
＜＜＜入札条件データ＞＞＞
図２（ａ）に例示されるように、本実施の形態の入札条件データ１０１ａは、逆オークションに際しての購入者の予算金額、優先順位をともなう複数の商品、各商品の最小購入数量等の落札条件と、入札期間等とを含む入札条件の情報を有するものである。
【００２２】
同図に例示される入札条件データ１０１ａは、購入者の予算金額（例えば「10万円」）、逆オークションの入札期間（例えば「2006年6月1日9:00〜2006年6月1日17:00」）、購入者の例えば第１〜第３希望までの商品Ｘ、Ｙ、Ｚを示す情報を備えて構成されている。
【００２３】
また、この入札条件データ１０１ａは、第１希望の商品Ｘの最低必要数量（例えば「60個」）を最小購入数量の情報として備えている。この場合、「最小購入数量」は、購入者が必要とする最低限の数量を意味する。
【００２４】
更に、この入札条件データ１０１ａは、第２希望の商品Ｙ及び第３希望の商品Ｚのそれぞれについて、入札された数量のうちの最大数量を最小購入数量とする旨の情報を備えている。尚、この入札条件データ１０１ａでは、第１希望の商品Ｘに対し複数入札された数量が全て、最低必要数量（例えば「60個」）以上且つ上限数量（例えば「100個」）以下であった場合には、これら入札された数量のうちの最大数量が、商品Ｘの最小購入数量であるとしている。以上の場合、「最小購入数量」は、この最小購入数量以上の数量を更に入札した入札者が落札者となり得るという点で、落札するための最小購入数量を意味する。
【００２５】
また更に、この入札条件データ１０１ａは、第１希望の商品Ｘの上限数量（例えば「100個」）の情報、及び、第２希望の商品Ｙの上限数量（例えば「50個」）の情報を備えている。この上限数量とは、購入者が必要とする数量の上限値を示す数量である。
【００２６】
本実施の形態の入札条件データ１０１ａは、購入者が購入者端末１を通じて生成して逆オークションサーバ１０に送信するものであるが、これに限定されるものではない。例えば、入札条件データ１０１ａは、購入者端末１から送信される落札条件等に基づいて、逆オークションサーバ１０が生成するものであってもよい。逆オークションサーバ１０は、受信又は生成した入札条件データ１０１ａを入札条件データベース１０１に格納する。
【００２７】
＜＜＜入札データ＞＞＞
図２（ｂ）に例示されるように、本実施の形態の入札データ１０１ｂは、前述した入札条件データ１０１ａを構成する予算金額や各商品の最低必要数量及び上限数量等に基づいた、各入札者による入札情報を有するものである。
【００２８】
同図に例示される入札データ１０１ｂは、入札者端末１を特定する情報（即ち、入札者を特定する情報）と、第１〜第３希望の商品Ｘ、Ｙ、Ｚのそれぞれの販売金額及び販売数量を有する入札情報とが対応するように構成されている。例えば、「入札者Ａ」は、購入者の第１希望の商品Ｘには「700円×100個」、購入者の第２希望の商品Ｙには「550円×50個」、購入者の第３希望の商品Ｚには「500円×5個」を提示していることになる。尚、これらの販売金額の総額は、「10万円」という予算金額と一致するようになっている。一方、例えば、「入札者Ｂ」は、第１希望の商品Ｘのみに「1428円×70個」を提示している。つまり、この入札者は、第２希望の商品Ｙ及び第３希望の商品Ｚには「0個」を提示していることになる。尚、この場合も、販売金額の総額は、「10万円」という予算金額と一致するようになっている。
【００２９】
本実施の形態の入札データ１０２ａは、入札者が入札者端末２を通じて生成した入札情報に基づいて、逆オークションサーバ１０が生成するものである。逆オークションサーバ１０は、生成した入札データ１０２ａを入札データベース１０２に格納する。
【００３０】
尚、図２（ａ）及び図２（ｂ）の例示では、購入者が希望する商品群（購入商品群）は３種類の商品から構成されるものであるが、これに限定されるものではなく、一般に２種類以上の商品から構成されるものであればよい。また、同図の例示では、第２、第３希望の商品Ｘ、Ｙには最低必要数量が与えられていないが、これに限定されるものではなく、一般に第２希望以降の商品にも最低必要数量が与えられてもよい。更に、同図の例示では、第３希望の商品Ｚには上限数量が与えられていないが、これに限定されるものではなく、一般に最終希望の商品にも上限数量が与えられてもよい。
【００３１】
＝＝＝逆オークション（１）（開始前に第２希望以降の商品を公表する場合）＝＝＝
図３及び図４を参照しつつ、前述した構成を備えた逆オークションサーバ１０による逆オークションの手順について説明する。図３は、本実施の形態の逆オークションにおける逆オークションサーバ１０の処理の手順の一例を示すフローチャートである。図４（ａ）は、本実施の形態の逆オークション時の入札者端末２のディスプレイ２ａにおける入札状況の表示例を示す模式図であり、図４（ｂ）は、本実施の形態の逆オークション時の購入者端末１のディスプレイ１ａにおける入札状況の表示例を示す模式図である。
【００３２】
図３に例示されるように、逆オークションサーバ１０は、購入者端末１から入札条件データ１０１ａを受信して、これを入札条件データベース１０１に格納する（Ｓ１００）。
【００３３】
逆オークションサーバ１０は、入札条件データ１０１ａに基づいて、この入札条件に関するＷｅｂデータ１０３ａを生成して、Ｗｅｂデータベース１０３に格納する（Ｓ１０１）。入札者は、入札条件に関するＷｅｂデータ１０３ａに該当するＵＲＬを入札者端末２から逆オークションサーバ１０に送信することにより、入札条件に関する情報をディスプレイ２ａに表示させることができる。このような閲覧が複数の入札者端末２から同時期に実施されることにより、逆オークションに参加する全ての入札者に対し入札条件が公表されることになる。
【００３４】
逆オークションサーバ１０は、入札条件データ１０１ａの示す入札開始時刻において、タイマ１０１ｂをリセットした後、計時を開始させる（Ｓ１０２）。
【００３５】
逆オークションサーバ１０は、前述したステップＳ１０１の場合と同様にして、Ｗｅｂデータ１０３ａを介して、購入者及び入札者に対し逆オークションを開始した旨を公表する（Ｓ１０３）。
【００３６】
逆オークションサーバ１０は、入札者端末１から入札情報を受信したか否かを判別する（Ｓ１０４）。入札情報を受信していないと判別した場合（Ｓ１０４：ＮＯ）、逆オークションサーバ１０は、この判別を再度実行する。
【００３７】
入札情報を受信したと判別した場合（Ｓ１０４：ＹＥＳ）、逆オークションサーバ１０は、この入札情報が、入札条件データ１０１ａの示す予算金額、商品、最低必要数量、及び上限数量の条件を満足しているか否かを判別する（Ｓ１０５）。尚、本実施の形態では、予算金額を満足するとは、販売金額の総額が予算金額に等しいことを意味する。
【００３８】
受信した入札情報が予算金額等の条件を満足していないと判別した場合（Ｓ１０５：ＮＯ）、逆オークションサーバ１０は、この入札情報を送信した入札者端末２に対し、Ｗｅｂデータ１０３ａ等を通じて、入札条件を満足していない旨を通知して（Ｓ１０６）、後述するステップＳ１０９の処理を実行する。
【００３９】
受信した入札情報が予算金額等の条件を満足していると判別した場合（Ｓ１０５：ＹＥＳ）、逆オークションサーバ１０は、この入札情報を入札データ１０２ａとして入札データベース１０２に格納する（Ｓ１０７）。
【００４０】
また、逆オークションサーバ１０は、この入札データ１０２ａ及び入札条件データ１０１ａに基づいて、現在の入札状況を示すＷｅｂデータ１０３ａを生成して、Ｗｅｂデータベース１０３に格納する（Ｓ１０８）。本実施の形態では、この入札状況を示すＷｅｂデータ１０３ａは、以下述べる入札者用及び購入者用の２種類があるものとする。
【００４１】
図４（ａ）に例示されるように、本実施の形態では、入札者のために、例えば、現在の日時、逆オークションの開始日時及び終了日時、最も優先順位の低い商品について例えば最大及び最大から２番目の数量を与える入札情報等が各ディスプレイ２ａに表示されるようになっている。同図の例示では、購入者の第１、第２希望の商品Ｘ、Ｙにそれぞれ上限数量を提示する上に、第３希望の商品Ｚに最大の「2個」を提示する入札者が「1人」いて、商品Ｘ、Ｙにそれぞれ上限数量を提示する上に、第３希望の商品Ｚに最大から２番目の「1個」を提示する入札者が「1人」いる、という状況が表示されている。本実施の形態では、入札期間内であれば、入札者は、入札状況を参照しつつ、既に送信した入札情報よりも良い条件を提示する入札情報を再度送信できるようになっているものとする。つまり、逆オークションサーバ１０は、同一の入札者端末２から入札情報が再度送信された場合、何れかの商品の数量がより多く提示されている場合に限って、この入札情報を受信して入札データ１０２ａを更新するように構成されている。尚、具体的には、入札者は、ステップＳ１０８で入札者用に生成されたＷｅｂデータ１０３ａのＵＲＬを入札者端末２から逆オークションサーバ１０に送信することにより、同図に例示される入札状況をディスプレイ２ａに表示させることができる。このような閲覧が複数の入札者端末２ａから同時期に実施されることにより、逆オークションに参加する全ての入札者に対し入札状況が公表されることになる。
【００４２】
図４（ｂ）に例示されるように、本実施の形態では、購入者のために、例えば、現在の日時や、全ての入札者が提示する入札情報等がディスプレイ１ａに表示されるようになっている。後述するように、本実施の形態では、購入者は、入札状況を参照しつつ、入札期間内に入札条件を変更できるようになっているものとする。尚、具体的には、購入者は、ステップＳ１０８で購入者用に生成されたＷｅｂデータ１０３ａのＵＲＬを購入者端末１から逆オークションサーバ１０に送信することにより、同図に例示される入札状況をディスプレイ１ａに表示させることができる。
【００４３】
尚、入札状況の表示形態は、図４（ａ）及び図４（ｂ）の例示に限定されるものではない。例えば、各入札者に対して、全入札者の入札情報を閲覧可能なＷｅｂデータ１０３ａを生成してもよい。また、例えば、購入者に入札状況を公表するためのＷｅｂデータ１０３ａを生成することは、逆オークションサーバ１０の必須の動作ではない。即ち、購入者が入札状況を必ずしも閲覧可能である必要はない。
【００４４】
図３に戻って、前述したステップＳ１０８以降の逆オークションサーバ１０の処理の手順について説明する。逆オークションサーバ１０は、前述したステップＳ１０２に計時を開始したタイマ１０ｂの示す時間を参照し、この時間が、入札条件データ１０１ａの示す入札期間に達しているか否かを判別する（Ｓ１０９）。タイマ１０ｂの計時する時間が入札期間に達していないと判別した場合（Ｓ１０９：ＮＯ）、逆オークションサーバ１０は、前述したステップＳ１０４の処理を再度実行する。
【００４５】
タイマ１０ｂの計時する時間が入札期間に達していると判別した場合（Ｓ１０９：ＹＥＳ）、逆オークションサーバ１０は、前述したステップＳ１０３の場合と同様にして、Ｗｅｂデータ１０３ａを介して、購入者及び入札者に対し逆オークションを終了した旨を公表する（Ｓ１１０）。
【００４６】
逆オークションサーバ１０は、入札条件データベース１０１に格納される入札条件データ１０１ａ（図２（ａ））と、入札データベース１０２に格納される入札データ１０２ａ（図２（ｂ））とを対比する。本実施の形態では、入札データ１０２ａにおいて、各入札者の提示する総販売金額が予算金額（例えば「10万円」）と一致する上に、各入札者の提示する第１希望の商品Ｘの販売数量が最低必要数量（例えば「60個」）以上であることは、前述したステップＳ１０５において予め判別済みである。一方、第２希望の商品Ｙの販売数量は、入札者Ｂ、Ｃ、Ｇが「0個」、入札者Ｅが「15個」であるため、入札者Ａ、Ｄ、Ｆが「50個」即ち最大数量に達している。また、第３希望の商品Ｚの販売数量は、入札者Ｂ、Ｃ、Ｅ、Ｇが「0個」、入札者Ａが「5個」、入札者Ｄが「10個」であるため、入札者Ｆが「25個」即ち最大数量に達している。よって、逆オークションサーバ１０は、商品群（Ｘ、Ｙ、Ｚ）における優先順位の高い第1希望の商品Ｘから、優先順位の低い第３希望の商品Ｚにかけて、販売金額の総額が予算金額に等しく、且つ、販売数量が最大数量（即ち、最小購入数量）以上である入札情報は、入札者Ｆの入札情報であると判別し、この入札者Ｆを落札者に決定する（Ｓ１１１）。
【００４７】
逆オークションサーバ１０は、購入者端末１に対し、入札者Ｆが落札者である旨を通知するとともに、入札者Ｆに該当する入札者端末２に対し、落札者である旨を通知する（Ｓ１１２）。本実施の形態では、この通知は、例えば電子メール等により該当者の端末に直接送信するものとする。
【００４８】
尚、本発明の逆オークション処理装置が備える判定部は、本実施の形態の逆オークションサーバ１０が備えるＣＰＵ１０ａと、このＣＰＵ１０ａに前述したステップＳ１０５及びＳ１１１の動作を実行させる所定のプログラムとに対応するものである。
【００４９】
また、本発明の逆オークション処理装置が備える通知部は、本実施の形態の逆オークションサーバ１０が備えるＣＰＵ１０ａと、このＣＰＵ１０ａに前述したステップＳ１１２の動作を実行させる所定のプログラムとに対応するものである。
【００５０】
また、本発明の逆オークション処理装置が備える送信部は、本実施の形態の逆オークションサーバ１０が備えるＣＰＵ１０ａと、このＣＰＵ１０ａに前述したステップＳ１０８の動作を実行させる所定のプログラムとに対応するものである。
【００５１】
以上の所定のプログラムは、例えば、本実施の形態の逆オークションサーバ１０の備える所定のメモリ（不図示）に記憶されている。
【００５２】
＝＝＝逆オークション（２）（開始後に第２希望以降の商品を公表する場合）＝＝＝
前述した逆オークション（１）では、その開始前に、第２希望以降の商品が入札条件として予め公表されていたが、これに限定されるものではない。例えば、第１希望の商品Ｘのみの販売数量の競り上げを前提に逆オークションを開始し、この販売数量が予め設定していた上限数量に達したときにはじめて、最初の入札条件に対し商品Ｘの上限数量及び第２希望の商品Ｙを追加するものであってもよい。
【００５３】
図５〜図８を参照しつつ、本実施の形態の逆オークションサーバ１０による逆オークションの手順について説明する。図５は、本実施の形態の逆オークションにおける逆オークションサーバ１０の処理の手順例の一部分を示すフローチャートである。図６は、本実施の形態の逆オークションにおける逆オークションサーバ１０の処理の手順例のもう一部分を示すフローチャートである。図７は、本実施の形態の逆オークションにおける逆オークションサーバ１０の処理の手順例の更にもう一部分を示すフローチャートである。図８は、本実施の形態の逆オークション時の入札者端末２のディスプレイ２ａにおける入札条件の表示例を示す模式図である。
【００５４】
＜＜＜第１希望の商品Ｘのみを入札条件として公表＞＞＞
図５に例示されるように、逆オークションサーバ１０が、購入者端末１から受信した入札条件を入札者に公表し、入札者端末２から送信される入札情報が入札条件を満足しているか否かを判別し、入札条件を満足していない入札情報の送信元に通知する処理（Ｓ２００〜Ｓ２０６）は、前述したステップＳ１００〜Ｓ１０６と同様である。この場合の入札条件は、主として、予算金額と、第１希望の商品Ｘの最小購入数量（入札者が１人の場合には最低必要数量であり、入札者が複数人の場合には最大数量である）及び上限数量とを備えて構成されるものである。図８（ａ）に例示されるように、ステップＳ２０３において、入札者端末２のディスプレイ２ａには、例えば、予算金額、入札期間、商品Ｘ及びその最低必要数量等が表示される。
【００５５】
尚、後述するように、入札条件は、更に、第２希望の商品Ｙの最小購入数量（最大数量）及び上限数量と、第３希望の商品Ｚの最小購入数量（最大数量）とを備えていてもよい。但し、ステップＳ２０３の段階では、第２希望以降の商品は未だ公表していないため、商品Ｘの上限数量や第２希望以降の商品に関する情報等はディスプレイ２ａに表示されない。
【００５６】
逆オークションサーバ１０は、ステップＳ２０５で入札条件を満足する入札情報のうち、商品Ｘの販売数量がその上限数量を超えるものがあるか否かを判別する（Ｓ２０７）。
【００５７】
ステップＳ２０５で入札条件を満足する入札情報のうち、商品Ｘの販売数量が上限数量を超えるものがないと判別した場合（Ｓ２０７：ＹＥＳ）、逆オークションサーバ１０は、入札情報を入札データ１０２ａとして入札データベース１０２に格納し、入札者及び購入者に入札状況を公表し、入札条件データ１０１ａと入札データ１０２ａとを対比して、商品Ｘの販売金額が予算金額であり、且つ、販売数量が最大数量（即ち、最小購入数量）以上となっている入札情報に対応する入札者を落札者に決定し、所定の通知を行う（Ｓ２０８〜Ｓ２１３）。つまり、ステップＳ２０８〜Ｓ２１３の処理は、前述したステップＳ１０７〜Ｓ１１２の処理と同様である。
【００５８】
ステップＳ２０５で入札条件を満足する入札情報のうち、商品Ｘの販売数量が上限数量を超えるものがあると判別した場合（Ｓ２０７：ＮＯ）、逆オークションサーバ１０は、後述するステップＳ３００〜Ｓ３１１の処理を実行する。
【００５９】
＜＜＜第２希望の商品Ｙを追加して再入札条件として公表＞＞＞
図６に例示されるように、逆オークションサーバ１０は、Ｗｅｂデータ１０３ａを通じて、第１希望の商品Ｘの上限数量及び第２希望の商品Ｙの情報を、再入札条件として追加公表する（Ｓ３００）。ここで、第２希望の商品Ｙに関する情報等は、前述したステップＳ２００で購入者端末１から入札条件として予め受信したものであってもよいし、或いは、ステップＳ３００で購入者端末１から新たな入札条件として受信するものであってもよい。尚、後者の場合、購入者は、ディスプレイ２ａに表示される入札状況（例えば図４（ｂ）参照）を参照しつつ、購入者端末２を通じて、新たな入札条件データ１０１ａを生成し、これを逆オークションサーバ１０に送信する。
【００６０】
入札者端末２から送信される入札情報が入札条件を満足しているか否かを逆オークションサーバ１０が判別し、入札条件を満足していない入札情報の送信元に通知する処理（Ｓ３０１〜Ｓ３０３）は、前述したステップＳ２０４〜Ｓ２０６と同様である。図８（ｂ）に例示されるように、ステップＳ３００において、入札者端末２のディスプレイ２ａには、例えば、予算金額、入札期間、商品Ｘ及びその最低必要数量に加えて、商品Ｘの上限数量及び第２希望としての商品Ｙが更に表示される。但し、この段階では、第３希望の商品は未だ公表していないため、商品Ｙの上限数量や第３希望の商品に関する情報等はディスプレイ２ａに表示されない。
【００６１】
逆オークションサーバ１０は、ステップＳ３０２で入札条件を満足する入札情報のうち、商品Ｙの販売数量がその上限数量を超えるものがあるか否かを判別する（Ｓ３０４）。
【００６２】
ステップＳ３０２で入札条件を満足する入札情報のうち、商品Ｙの販売数量が上限数量を超えるものがないと判別した場合（Ｓ３０４：ＹＥＳ）、逆オークションサーバ１０は、入札情報を入札データ１０２ａとして入札データベース１０２に格納し、入札者及び購入者に入札状況を公表し、入札条件データ１０１ａと入札データ１０２ａとを対比して、商品Ｘ、Ｙの販売金額が予算金額であり、且つ、商品Ｙの販売数量が最大数量（即ち、最小購入数量）以上となっている入札情報に対応する入札者を落札者に決定し、所定の通知を行う（Ｓ３０５〜Ｓ３１０）。つまり、ステップＳ３０５〜Ｓ３１０の処理は、前述したステップＳ２０８〜Ｓ２１３の処理と同様である。
【００６３】
ステップＳ３０２で入札条件を満足する入札情報のうち、商品Ｙの販売数量が上限数量を超えるものがあると判別した場合（Ｓ３０４：ＮＯ）、逆オークションサーバ１０は、後述するステップＳ４００〜Ｓ４０９の処理を実行する。
【００６４】
＜＜＜第３希望の商品Ｚを追加して再入札条件として公表＞＞＞
図７に例示されるように、逆オークションサーバ１０は、Ｗｅｂデータ１０３ａを通じて、第２希望の商品Ｙの上限数量及び第３希望の商品Ｚの情報を、再入札条件として追加公表する（Ｓ４００）。ここで、第３希望の商品Ｚに関する情報等は、前述したステップＳ２００で購入者端末１から入札条件として予め受信したものであってもよいし、或いは、ステップＳ４００で購入者端末１から新たな入札条件として受信するものであってもよい。尚、後者の場合、購入者は、ディスプレイ２ａに表示される入札状況（例えば図４（ｂ）参照）を参照しつつ、購入者端末２を通じて、新たな入札条件データ１０１ａを生成し、これを逆オークションサーバ１０に送信する。
【００６５】
入札者端末２から送信される入札情報が入札条件を満足しているか否かを逆オークションサーバ１０が判別し、入札条件を満足していない入札情報の送信元に通知する処理（Ｓ４０１〜Ｓ４０３）は、前述したステップＳ３０１〜Ｓ３０３と同様である。図８（ｃ）に例示されるように、ステップＳ４００において、入札者端末２のディスプレイ２ａには、例えば、予算金額、入札期間、商品Ｘ並びに最低必要数量及び上限数量、商品Ｙ及び上限数量に加えて、第３希望としての商品Ｚの情報が更に表示される。
【００６６】
逆オークションサーバ１０は、前述したステップＳ４０２で入札条件を満足すると判別した入札情報を入札データ１０２ａとして入札データベース１０２に格納し、入札者及び購入者に入札状況を公表し、入札条件データ１０１ａと入札データ１０２ａとを対比して、商品Ｘ、Ｙ、Ｚの販売金額が予算金額であり、且つ、商品Ｚの販売数量が最大数量（即ち、最小購入数量）以上となっている入札情報に対応する入札者を落札者に決定し、所定の通知を行う（Ｓ４０４〜Ｓ４０９）。つまり、ステップＳ４０４〜Ｓ４０９の処理は、前述したステップＳ３０５〜Ｓ３１０の処理と同様である。
【００６７】
＝＝＝購入者の所定の購入予算を有効に執行＝＝＝
本実施の形態の逆オークションサーバ１０によれば、複数の入札者端末２からそれぞれ送信される複数の入札情報から、商品群Ｘ、Ｙ、Ｚの販売金額の総額が予算金額であり且つ最も優先順位の低い第３希望の商品Ｚの販売数量が最小購入数量（最大数量）以上となっている入札情報が検出される。これにより、購入者端末１を通じて、例えば購入者が自身の所定の購入予算を有効に執行できると考える所定の落札条件を含む入札条件データ１０１ａを逆オークションサーバ１０に予め送信すれば、検出される入札情報は、この購入者の所定の購入予算を有効に執行することが可能なものとなる。本実施の形態の逆オークションサーバ１０は、特に、購入者が次年度に繰り越せない購入予算を当該年度中に執行するべく、一定の予算金額の下で商品の数量を競り上げる逆オークションを実施する場合に有用である。つまり、１種類の商品に関して不必要とも言える大きな数量で落札されることを回避できる。尚、この場合、入札条件データ１０１ａ（図２（ａ））の最小購入数量は、商品Ｘの関しては最低必要数量（例えば「60個」）であり、商品Ｙに関しては入札者中の最大数量であり、商品Ｚに関しては入札者中の最大数量である。
【００６８】
前述した逆オークション（１）によれば、入札者は、入札情報を一括して提示可能であるため、逆オークションが効率良く進行し得る。一方、前述した逆オークション（２）によれば、逆オークション中に、入札者端末２からの入札情報に応じて入札条件を変更することが可能となるため、購入者の所定の購入予算をより有効に執行できる。
【００６９】
前述した実施の形態では、結果的に商品Ｙ、Ｚを提示する入札情報があったが、これに限定されるものではない。例えば結果的に商品Ｘのみを提示する入札情報だけで競り合うことになっても、本実施の形態の逆オークションサーバ１０は有用である。例えば、商品Ｘに対し入札された数量が全て、最低必要数量（例えば「60個」）以上且つ上限数量（例えば「100個」）以下であった場合、本実施の形態の逆オークションサーバ１０によれば、これら入札された数量のうちの最大数量を提示する入札者が落札者となる。尚、この場合、入札条件データ１０１ａ（図２（ａ））の商品Ｘに関する最小購入数量は入札者中の最大数量である。
【００７０】
また、前述した実施の形態では、複数の入札者端末２から複数の入札情報がそれぞれ送信される場合について述べたが、これに限定されるものではない。例えば結果的に１つの入札者端末２が１つの入札情報を送信して逆オークションが終了した場合でもあっても、本実施の形態の逆オークションサーバ１０は有用である。例えば１つの入札情報は、商品Ｘ、Ｙ、Ｚの販売金額の総額が予算金額に等しく且つ各商品Ｘ、Ｙ、Ｚの販売数量が最小購入数量（最低必要数量又は最大数量）以上であるか否かが判定され、この判定結果に基づいて落札の通知又は非通知が決まる。尚、この場合、入札条件データ１０１ａ（図２（ａ））の最小購入数量は、商品Ｘの関しては最低必要数量（例えば「60個」）であり、商品Ｙに関しては入札者中の最大数量であり、商品Ｚに関しては入札者中の最大数量である。ここで、商品Ｙ、Ｚに関しては、入札者が１人の場合にこの入札者の提示する数量が最大数量であるとみなせば、この入札者がいかなる数量を提示しても、これは最大数量以上となる。
【００７１】
更に、前述した実施の形態では、入札条件データ１０１ａ（図２（ａ））において、第１希望の商品Ｘ及び第２希望の商品Ｙのそれぞれの上限数量が設定されているが、この上限数量の設定は必須要件ではない。上限数量が設定されていない場合であっても、逆オークションサーバ１０は、例えば、販売金額の総額が予算金額に等しく、且つ、各販売数量に関して商品Ｚ側よりも商品Ｘ側で優先的に最大数量以上である入札情報を検出すればよい。これにより、購入者の所定の購入予算を有効に執行することができる。
【００７２】
また更に、前述した実施の形態では、販売金額の総額が予算金額に等しいものとしたが、これに限定されるものではない。予算金額を、例えば目安の金額とし、また例えば各商品Ｘ、Ｙ、Ｚの単価未満分の高低があるとしても、前述した逆オークションサーバ１０により奏される効果は殆ど変わらない。
【００７３】
＝＝＝その他の実施の形態＝＝＝
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【００７４】
前述した実施の形態では、本発明の逆オークション処理装置を、Ｗｅｂサーバ（逆オークションサーバ１０）として述べたが、これに限定されるものではない。逆オークション処理装置は、一般に、購入者端末１及び入札者端末２と通信可能な情報処理装置であればよく、入札条件データ１０１ａや入札情報等の送受信は例えば電子メール等を通じて行うものであってもよい。また、本発明の逆オークション処理装置の通知部に対応する手段として、前述した実施の形態では電子メールを挙げたが、これに限定されるものではなく、要するに、入札者端末２に対し落札の旨を通知する手段であれば如何なる手段であってもよい。
【図面の簡単な説明】
【００７５】
【図１】本実施の形態の購入者端末、入札者端末、及び逆オークションサーバの構成例を示すブロック図である。
【図２】（ａ）は、本実施の形態の入札条件データの構成例を示す図表であり、（ｂ）は、本実施の形態の入札データの構成例を示す図表である。
【図３】本実施の形態の逆オークションにおける逆オークションサーバの処理の手順の一例を示すフローチャートである。
【図４】（ａ）は、本実施の形態の逆オークション時の入札者端末のディスプレイにおける入札状況の表示例を示す模式図であり、（ｂ）は、本実施の形態の逆オークション時の購入者端末のディスプレイにおける入札状況の表示例を示す模式図である。
【図５】本実施の形態の逆オークションにおける逆オークションサーバの処理の手順例の一部分を示すフローチャートである。
【図６】本実施の形態の逆オークションにおける逆オークションサーバの処理の手順例のもう一部分を示すフローチャートである。
【図７】本実施の形態の逆オークションにおける逆オークションサーバの処理の手順例の更にもう一部分を示すフローチャートである。
【図８】本実施の形態の逆オークション時の入札者端末のディスプレイにおける入札条件の表示例を示す模式図である。
【符号の説明】
【００７６】
１  購入者端末                    １ａ  ディスプレイ
２  入札者端末                    ２ａ  ディスプレイ
３  通信ネットワーク              １０  逆オークションサーバ
１０ａ  ＣＰＵ                    １０ｂ  タイマ
１０１  入札条件データベース      １０１ａ  入札条件データ
１０２  入札データベース          １０２ａ  入札データ
１０３  Ｗｅｂデータベース        １０３ａ  Ｗｅｂデータ
【図１】
2008003772.tif 000003
【図２】
2008003772.tif 000004
【図３】
2008003772.tif 000005
【図４】
2008003772.tif 000006
【図５】
2008003772.tif 000007
【図６】
2008003772.tif 000008
【図７】
2008003772.tif 000009
【図８】
2008003772.tif 000010